(57)【要約】【課題】  この発明は、被介護人をベッドから車椅子へ移乗させ又は車椅子からベッドへ移すに際し、少ない労力で、被介護人に苦痛を与えることなく、容易に実施できるようにすることを目的としたものである。【解決手段】  この発明は、ヘッドボードに、ストレッチャー状の車椅子ベッド体を介装する間隔をおいて前後ベッド枠の一側を固定し、該前後ベッド枠の上部にマットを設置し、該ベッド枠内に昇降及びリクライニング装置を夫々設置すると共に、移動用キャスターを取り付け、前記車椅子ベッド体の枠体にリクライニング装置を設置し、前記枠体下部に移動用キャスターを取り付け、前記車椅子ベッド体を前記前後ベッド体の間に挿入して一体的に固定したことを特徴とする車椅子機能を有する介護用ベッドにより目的を達成した。【選択図】        図１
2005304626.tif 000002
【特許請求の範囲】
【請求項１】
昇降及びリクライニングできる前後ベッド体の中央部に、リクライニングできるストレッチャー状の車椅子ベッド体を介装し、前記前後ベッド体と車椅子ベッド体とを一体化して介護用ベッドを構成することを特徴とした車椅子機能を有する介護用ベッドの構成方法。
【請求項２】
昇降及びリクライニングできる前後ベッド体は、頭部の縦枠に前後ベッド体の支持枠を固定すると共に、前記支持枠にキャスターを取り付けて移動自在に構成することを特徴とした請求項１記載の車椅子機能を有する介護用ベッドの構成方法。
【請求項３】
車椅子ベッド体は、ストレッチャーと車椅子兼用の構成であって、前後ベッド体の間に介装し、これと一体的に連結して介護用ベッドを構成し、前後ベッド体と切り離してストレッチャーとし、ストレッチャーをリクライニングして車椅子とすることを特徴とした請求項１記載の車椅子機能を有する介護用ベッドの構成方法。
【請求項４】
ヘッドボードに、ストレッチャー状の車椅子ベッド体を介装できる間隔をおいて前後ベッド枠の一側を固定し、該前後ベッド枠の上部にマットを設置し、該ベッド枠内に昇降及びリクライニング装置を夫々設置すると共に、移動用キャスターを取り付け、前記車椅子ベッド体の枠体にリクライニング装置を設置し、前記枠体下部に移動用キャスターを取り付け、前記車椅子ベッド体を、前記前後ベッド体の間に挿入して一体的に固定したことを特徴とする車椅子機能を有する介護用ベッド。
【請求項５】
ヘッドボードに、ストレッチャー状の車椅子ベッド体を介装できる間隔をおいて、前後ベッド枠の一側を固定し、該前後ベッド枠の上部にマットを設置し、前記前後ベッド枠内に昇降及びリクライニング装置を夫々設置すると共に、移動用キャスターを取り付け、前記車椅子ベッド体の枠体にリクライニング装置を設置し、前記枠体下部に移動用キャスターを取り付け、前記車椅子ベッド体を前記前後ベッド体の間に介装して一体的に固定し、前記車椅子ベッド体は、前後ベッド体と同時に昇降できるように構成したことを特徴とする車椅子機能を有する介護用ベッド。
【請求項６】
前後ベッド体には、夫々昇降手段が設置され、何れか一方の昇降手段の入力によって、同時に両ベッド体が昇降できるように構成したことを特徴とする請求項４又は５記載の車椅子機能を有する介護用ベッド。
【請求項７】
車椅子ベッド体の下部に設置したリクライニング装置は、頭部と、足部に分けて、自動又は人力操作できるようにしたことを特徴とする請求項４又は５記載の車椅子機能を有する介護用ベッド。
【発明の詳細な説明】
【技術分野】
【０００１】
この発明は、介護なしでは自立不可能な高齢者、身体障害者、病人などのベッドであって、車椅子への移動が容易であり、介護人の負担を軽減することを目的とした車椅子機能を有する介護用ベッドの構成方法及び介護用ベッドに関する。
【背景技術】
【０００２】
従来車椅子を備えた介護用ベッドとしては、例えば、右側マットと左側マットの間に、椅子収納部を有し、２分割できるようにしたベッド本体と、前記右側マットと左側マットと略同一面を形成できるようにした背部マット、座部マット、脚部マット及び足台マットを有し、走行できるように車輪をつけ、前記椅子収納部に収納できる介護椅子を備えた介護用ベッドの発明が提案されている。
【０００３】
また、被介護人をベッドから車椅子に移すに当り、介護人の作業を簡単かつ容易にし、ベッド形状は従来形を維持し、設置スペースを既存形の範囲内に収めるようにするもので、ベッド中央部に車椅子形成機能を備えた寝台部を嵌着してあり、この寝台部を引き出してリクライニング方式を用いて車椅子を形成するものであり、更に介護者の仮眠スペースを具備してある、などの発明も提案されている。
【特許文献１】特開２０００−１６６９８１
【特許文献２】特開２００１−２１８７９９
【発明の開示】
【発明が解決しようとする課題】
【０００４】
従来ベッド上の被介護人をストレッチャーに移乗させたり、車椅子に移すには、介護人一人ではできない場合が多いのみならず、被介護人に苦痛を与えるおそれもあった。そこでベッドの一部に車椅子を嵌め込んだ提案がある。
【０００５】
例えば、特許文献１の発明は、椅子収納部を有し、２分割可能に形成されたベッド本体の内側に車椅子となる介護用椅子を組み込んだ介護用ベッドであるが、介護用椅子を取ると全体が分解されるような態様になり、分解組み立てを要する問題点があった。
【０００６】
また、特許文献２の発明は、ベッドに組み込んだ車椅子機能を備えた寝台部をストレッチャー方式にして出し入れし、被介護人に触れることなく、寝台部を屈曲成形して、リクライニングさせるようにした点に工夫が加えられているが、車椅子の成形容易性に配慮した為に、ベッド機能中高さ調節とか、リクライニングとか、移動性と可能性とかを考慮していない問題点がある。
【課題を解決するための手段】
【０００７】
この発明は、被介護人に触れることなく（又は最小の労力で）リクライニング方式を用い、寝たままの被介護人を車椅子に座らせた状態にさせること、その為に、前後ベッド体の中央部にリクライニングできるストレッチャー方式の車椅子ベッド体を介装することにより、前記従来の問題点を解決したのである。
【０００８】
また前後ベッド体は、夫々同時に昇降し、かつリクライニング可能であって（同時に車椅子ベッド体も昇降できる）、ベッド体の高さ調節機能を付与し、かつ移動可能として従来のベッド体の特質も具備させたものである。
【０００９】
即ち方法の発明は、昇降及びリクライニングできる前後ベッド体の中央部に、リクライニングできるストレッチャー状の車椅子ベッド体を介装し、前記前後ベッド体と車椅子ベッド体とを一体化して介護用ベッドを構成することを特徴とした車椅子機能を有する介護用ベッドの構成方法である。また、他の方法の発明は、昇降及びリクライニングできる前後ベッド体は、頭部の縦枠に前後ベッド体の支持枠を固定すると共に、前記支持枠にキャスターを取り付けて移動自在に構成するものであり、車椅子ベッド体は、ストレッチャーと車椅子兼用の構成であって、前後ベッド体との間に介装し、これと一体的に連結して介護用ベッドを構成し、前後ベッド体と切り離してストレッチャーとし、ストレッチャーをリクライニングして車椅子とするものである。
【００１０】
次に、介護用ベッドの発明は、ヘッドボードに、ストレッチャー状の車椅子ベッド体を介装できる間隔をおいて前後ベッド枠の一側を固定し、該前後ベッド枠の上部にマットを設置し、該ベッド枠内に昇降及びリクライニング装置を夫々設置すると共に、移動用キャスターを取り付け、前記車椅子ベッド体の枠体にリクライニング装置を設置し、前記枠体下部に移動用キャスターを取り付け、前記車椅子ベッド体を、前記前後ベッド体の間に介装して一体的に固定したことを特徴とする車椅子機能を有する介護用ベッドであり、ヘッドボードに、ストレッチャー状の車椅子ベッド体を介装できる間隔をおいて、前後ベッド枠の一側を固定し、該前後ベッド枠の上部にマットを設置し、前記前後ベッド枠内に昇降及びリクライニング装置を夫々設置すると共に、移動用キャスターを取り付け、前記車椅子ベッド体の枠体にリクライニング装置を設置し、前記枠体下部に移動用キャスターを取り付け、前記車椅子ベッド体を前記前後ベッド体の間に挿入して一体的に固定し、前記車椅子ベッド体は、前後ベッド体と同時に昇降できるように構成したことを特徴とする車椅子機能を有する介護用ベッドである。
【００１１】
更に、前後ベッド体には、夫々昇降手段が設置され、何れか一方の昇降手段の入力によって、同時に両ベッド体が昇降できるように構成したものであり、車椅子ベッド体の下部に設置したリクライニング装置は、頭部と、足部に分けて、自動又は人力操作できるようにしたものである。
【００１２】
前記のように、この発明は、前後ベッド体の中央部へリクライニングできるストレッチャー状の車椅子ベッド体を介装したので、被介護人はストレッチャーで寝たまま運ばれ、前記ストレッチャーをリクライニングして、座った状態（車椅子に乗った状態）にすることができる。
【００１３】
従って介護人は、殆んど手をつけることなく、ベッド体の形状を変える（自動又は手動）のみで、被介護人を横臥状から座り状に姿勢を変えさせることができる。この姿勢変化に際しては、被介護人を目視しつつ極めて緩徐に行うことができるので、無理なく全身を支えながら行うことができる特質がある。
【００１４】
前記発明において、実際使用に際し、特注として前後側ベッド体は、昇降手段又はリクライニング手段の一方又は両方を除いて構成することもできる。
【００１５】
従来最も注意しなければならなかった被介護人の苦痛、緊張及び介護人の大きな労力の必要性などを一挙に解決し、しかも介護人は、被介護人に直接触れることなく、総てに亘り注視しつつ、車椅子ベッド体と、介護ベッドへ可逆的に移行できる特質がある。
【発明の効果】
【００１６】
この発明によれば、介護人一人で、被介護人を車椅子に移乗させ、又は車椅子からベッドへ移すなどの操作を容易、かつ安全になし得る効果がある。
【００１７】
前記介護用ベッドのリクライニング及びストレッチャー式車椅子への移乗などは、自動又は手動で円滑に実施し得ると共に、被介護人を注視しつつ総ての操作を行うことができるので、不慮の危害を蒙るおそれがないなどの諸効果がある。
【発明を実施するための最良の形態】
【００１８】
ヘッドボードの前後に、前後ベッド枠の一端を固定し、前記前後ベッド枠の中央部へ車椅子ベッド枠を介装し、夫々固定する。前記前後ベッド枠には、マット部分の昇降手段と、リクライニング手段を設置すると共に、一方の昇降手段の入力を他方の昇降手段に出力すべく構成し、前記車椅子ベッド枠にリクライニング手段を組み込む。
【００１９】
前記ヘッドボード、前後ベッド枠及び車椅子ベッド枠の下端部には、適宜キャスターを取り付けて移動可能に構成してある。
【００２０】
前記昇降手段及びリクライニング手段は公知の技術を使用すると共に、その入力はモータなど自動的入力と、人力入力の両方があるが、何れも使用することができる。
【００２１】
前記を要約すると、この発明は、ヘッドボードと、これに一端を固定した前後側ベッド体と、該前後側ベッド体の間へ介装される車椅子ベッド体とよりなり、全体を移動可能なようにキャスターを取り付けた構成である。
【００２２】
前記前後側ベッド体は、前後側ベッド枠にマットを設置してなり、該マットの支板は、昇降手段に支持されると共に、リクライニング手段とも関連づけてある。
【００２３】
前記車椅子ベッド体は、車椅子枠に屈曲可能なストレッチャー枠がリクライニング可能に連結され、前記ストレッチャー枠上にマットを設置し、ストレッチャー枠内にリクライニング手段が内装されている。前記車椅子枠に昇降手段を内装するか、前記前後側ベッド枠の昇降に伴って昇降できるように連結することも考えられる。
【００２４】
前記リクライニング手段と、昇降手段は、その構造に特定性はなくてもよく、従来技術を利用することができるので、手動又は自動とすることができる。
【実施例１】
【００２５】
この発明の実施例を図１について説明すると、ヘッドボードの前後部へ、車椅子ベッド体を介装し得る間隔をおいて前後ベッド体の一側を夫々固定する。ついで、前後ベッド体の間へ車椅子ベッド体を介装し、一体的に固定すれば介護用ベッドが構成される。
【００２６】
前記において、前後ベッド体は、前後ベッド枠に、支板を介してマットを設置し、前記ベッド枠内に、前記支板の昇降手段と、リクライニング手段を内装する。前記前後ベッド体及び車椅子ベッド体のマット及び可動枠はリクライニングできるように四つの部材に分割してあり、夫々の分割部にリクライニング手段が設置してある。
【００２７】
前記前後ベッド体に内蔵する昇降手段は、夫々連動させてあって、一方で回転力（モータ又は人力）を入力すれば、両方同時に昇降できるようになっている。
【００２８】
また前後ベッド体及び車椅子ベッド体には前記のように夫々リクライニング手段が設けてあるので、自動又は手動によってマットは平板状、又は腰掛け状（段状）に構成される。
【００２９】
前記リクライニングは、マットの移動によって成形されるので、被介護人は寝たままマットの外形が緩徐に変化することになり、無理な外力が働くおそれはない。
【００３０】
前記のように、この発明によれば，ヘッドボード、前後ベッド体及び車椅子ベッド体よりなり、夫々の機能を有すると共に、全体が同一（例えば昇降）目的で結合しているので、統一された介護用ベッドであり、比較的狭い床面積（従来のベッドとほぼ同一）で使用できる特質がある。
【実施例２】
【００３１】
この発明の実施例を図３、４、５、６、７、８について構成を説明すると、ヘッドボード１の前後部へ、前ベッド枠２と、後ベッド枠３との一側を固着し、前ベッド枠２と、後ベッド枠３に、夫々螺杆４、４ａを水平に架設し、該螺杆４へ、ナット５、５を螺合させると共に、該ナット５、５と、マット１７の支板７の突片８と、枠２の下板２ａに夫々リンク片９ａ、９ｂ、９ｃ、９ｄをピン１０、１０で結合する（図３、４、５）。
【００３２】
前記螺杆４、４ａにはベベルギヤー１１、１１を固定し、ベベルギヤー１１、１１ａと咬み合うベベルギヤー１２、１２ａを同一軸１３の両端に固定し、螺杆４をハンドル１４により回転すると、螺杆４、ベベルギヤー１１、１２、軸１３、ベベルギヤー１２ａ、１１ａから螺杆４ａへ伝達されるので、ハンドル１４により、螺杆４、４ａを回転させることができる。
【００３３】
従って螺杆４、４ａの回転につれてリンク片９ａ、９ｂ、９ｃ、９ｄ、ナット５、５が矢示１５、１５又は１６、１６のように離接するので、リンク片９ａ、９ｂ、９ｃ、９ｄの傾斜角度は大きくなり（ベッド上昇）、又は小さくなって（ベッド下降）、ベッドを昇降させる。この場合に、車椅子ベッド体２０のマットの支板１９の端縁を、前後ベッド体３５、３６のマット１７、１７の支え板７ａ、７ｂに重なるので、前後ベッド体３５、３６のマットの支板（例えば格子状になった枠板）上に重ねて支持させることにより、前後ベッド体の支板７の昇降が、そのまま車椅子ベッド体２０の支板１９を昇降させることになる。従って車椅子ベッド体２０にはマット１８の昇降手段を設けなくてもよいことになる（図８(ａ)（ｂ））。
【００３４】
次に前後ベッド体２、３及び車椅子ベッド体２０のマット１７、１８は、背部マット１７ａ、１８ａ、座部マット１７ｂ、１８ｂ、脚部マット１７ｃ、１８ｃ及び足マット１７ｄ、１８ｄよりなり、夫々折り曲げ可能に連結されている。
【００３５】
そこで、背部マット１８ａの基部側の支板の取付片２１、及び脚部マット１８ｃの支板の取付片２３とを、車椅子枠２２の取付片２４との間にリクライニング用のアブソーバ２５、２５ａを夫々ピン連結してある。
【００３６】
図中６はベッドの柵、２６は取手、２６ａはロック切替えの取手、２７、２８は操作杆、２９は足部リクライニングの連結片、３０、３０は手摺りであって、マットずれ防止柵にもなる。
【００３７】
前記実施例において、操作杆２７、２８を持って、図７中矢示３１、又は３２の方向へマットを移動させて、被介護人の好む角度に調節することができる。前記手摺り３０は、図６中鎖線図示から、実線図示のように矢示３３、３４のように折り込んで収納することができる。
【００３８】
前記実施例において、ヘッドボード１の下端、前ベッド枠２の下端、後ベッド枠３の下端及び車椅子ベッド枠の下端には何れもキャスター３７が設けてあるので、介護ベッドは勿論、車椅子ベッド体（ストレッチャーとして使用するときも同じ）としても自由に移動させることができる。
【図面の簡単な説明】
【００３９】
【図１】この発明の実施例のブロック図。
【図２】同じくベッドの実施例の一部を省略した平面図。
【図３】同じく一部を省略した斜視図。
【図４】同じく車椅子ベッド体を取出し、一部を省略した斜視図。
【図５】同じくベッド体の昇降機構を示す一部を省略した正面拡大図。
【図６】同じく車椅子ベッド体の実施例の一部を省略した拡大正面図。
【図７】同じく車椅子状にリクライニングした実施例の拡大斜視図。
【図８】（ａ）同じく前後ベッド体の昇降連動系を示す平面説明図、（ｂ）同じく車椅子ベッド体の昇降を示す説明図。
【符号の説明】
【００４０】
１  ヘッドボード
２  前ベッド枠
３  後ベッド枠
４  螺杆
５  ナット
６  マット
７  支板
８  突片
９ａ、９ｂ、９ｃ、９ｄ  リンク片
１０  ピン
１１、１１ａ、１２、１２ａ  ベベルギヤー
１３  軸
１４  ハンドル
１７、１８  マット
１９  支板
２０  車椅子ベッド体
２１、２３、２４  取付片
２２  車椅子枠
２５、２５ａ  アブソーバ
２６  取手
２７、２８  操作杆
２９  連結片
３０  手摺
【図１】
2005304626.tif 000003
【図２】
2005304626.tif 000004
【図３】
2005304626.tif 000005
【図４】
2005304626.tif 000006
【図５】
2005304626.tif 000007
【図６】
2005304626.tif 000008
【図７】
2005304626.tif 000009
【図８】
2005304626.tif 000010